(57)【要約】【課題】家屋内に存在するダニなどの害虫を効率よく除去することが可能な害虫除去方法および該害虫除去方法を実現するための加熱体制御装置を提供する。【解決手段】加熱体１によってシート状体２を加熱することにより、通路２２ａの下部付近の温度が３５℃以上５０℃未満（望ましくは４０℃以上５０℃未満）となるように加熱体１を制御する。通路２２ａの下部（破線で囲まれた領域）２２ｂの温度を３５℃以上５０℃未満とすることで、通路２２ａの下部２２ｂ付近に存在するダニは、通路２２ａを通って表面材２２の表面付近へ移動する。シート状体１の表面付近に移動したダニを掃除機で吸引するなどして除去する。【選択図】　　　図１
2004129611.tif 000002
【特許請求の範囲】
【請求項１】
面状の加熱体上に、
厚み方向に害虫が移動可能な通路を有するシート状体が配置され、
前記通路の下部の温度を、害虫が通路を移動して上昇し、かつ害虫が死滅する温度未満の温度となるように、前記加熱体によって前記シート状体を加熱することを特徴とする害虫除去方法。
【請求項２】
前記加熱体は、前記通路の下部の温度を３５℃以上５０℃未満となるように前記シート状体を加熱することを特徴とする請求項１記載の害虫除去方法。
【請求項３】
前記シート状体を加熱する際に、前記通路の下部の温度上昇率を変化させることを特徴とする請求項１記載の害虫除去方法。
【請求項４】
前記加熱体は、前記通路の下部の温度を初期温度から５０℃まで上昇させ、
前記通路の下部の温度を初期温度から３５℃まで上昇させる際の温度上昇率に比べて、３５℃から５０℃まで上昇させる際の温度上昇率が小さいことを特徴とする請求項３記載の害虫除去方法。
【請求項５】
害虫が前記シート状体の表面付近に移動した状態で、シート状体の表面から害虫を除去することを特徴とする請求項１〜４のいずれか１つに記載の害虫除去方法。
【請求項６】
シート状体が載置される加熱体の加熱面または加熱面上のシート状体の上面の温度を暖房に適した温度となるように、前記加熱体を制御する暖房モードと、前記シート状体が有する、厚み方向に害虫が移動可能な通路の下部の温度を、害虫が通路を移動して上昇し、かつ害虫が死滅する温度未満の温度となるように、前記加熱体を制御する害虫除去モードとに切り替え可能に動作する加熱体制御装置。
【発明の詳細な説明】
【０００１】
【発明の属する技術分野】
本発明は、アレルギー源となるダニなどの害虫を除去するための除去方法および該除去方法を実現するための加熱体制御装置に関する。
【０００２】
【従来の技術】
家屋内に生息するダニは、人間の生活様式の変化や家屋の高気密化に伴い年々増加し、アトピー性皮膚炎などのアレルギーの主原因となっている。ダニの主な生息場所は、カーペットなどの織物、畳、蒲団などで、特に埃に含まれるコナヒョウヒダニおよびヤケヒョウヒダニが多く生息している。ダニ類は、湿度、温度が高い夏に繁殖するため、特に、夏に効果的なダニを駆除する方法が求められている。
【０００３】
従来のダニの駆除方法には、化学的駆除方法と物理的駆除方法とがある。化学的駆除方法としては、カーペットなどの生息場所にリンデン、デイルドリン、フェルトロチンまたはＤＤＴ（１，１，１−ｔｒｉｃｈｌｏｒｏ−２，２−ｂｉｓ（４−ｃｈｌｏｒｏｐｈｅｎｙｌ）ｅｔｈａｎｅ）などの薬剤を散布する。物理的駆除方法としては、加熱方式が用いられ、マイクロ波や高周波を利用した誘電加熱駆除方式や日干しなどが行われている。
【０００４】
特許文献１記載の害虫駆除装置付採暖具は、物理的駆除方法を用いている。この採暖具では、タイマ回路により数秒から数１０分の間、発熱素子の温度を、３５℃〜６０℃のうちから選ばれた温度で一定に制御する。
【０００５】
【特許文献１】
特公平６−７２７００号公報
【０００６】
【発明が解決しようとする課題】
薬剤を用いた化学的駆除方法の場合は、カーペットや蒲団などに散布した薬剤が残存し、人体に悪影響を与えるという問題がある。また、特許文献１記載の害虫駆除装置付採暖具は、加熱処理を用いて、ダニを死滅させているが、現在では、ダニを死滅させるだけでは駆除としては不十分であることがわかっている。これは、アレルギーの原因とされるものには、生きたダニおよびダニの糞のみならず、ダニの死骸も含まれるからである。
【０００７】
したがって、効果的にアレルギー源を排除するには、ダニの生息場所を掃除機によって吸引し、除去する方法が考えられる。しかしながら、カーペットや畳の深い場所に入り込んだダニは、吸引により除去することが困難である。加熱処理した場合も同様に、深い場所で死滅したダニの死骸は、吸引により除去することは困難である。
【０００８】
本発明の目的は、家屋内に存在するダニなどの害虫を効率よく除去することが可能な害虫除去方法および該害虫除去方法を実現するための加熱体制御装置を提供することである。
【０００９】
【課題を解決するための手段】
本発明は、面状の加熱体上に、
厚み方向に害虫が移動可能な通路を有するシート状体が配置され、
前記通路の下部の温度を、害虫が通路を移動して上昇し、かつ害虫が死滅する温度未満の温度となるように、前記加熱体によって前記シート状体を加熱することを特徴とする害虫除去方法である。
【００１０】
また本発明は、前記加熱体は、前記通路の下部の温度を３５℃以上５０℃未満となるように前記シート状体を加熱することを特徴とする。
【００１１】
また本発明は、害虫が前記シート状体の表面付近に移動した状態で、シート状体の表面から害虫を除去することを特徴とする。
【００１２】
本発明に従えば、床暖房などに用いられる面状の加熱体上に、カーペット、畳、フローリングなどのシート状体が載置される。シート状体は、厚み方向にダニなどの害虫が移動可能な通路を有しており、害虫はこの通路を通って、厚み方向に移動する。この通路は、カーペットの場合はパイルとパイルの間隙であり、畳の場合は編み込まれたい草とい草の間隙であり、フローリングの場合は、木材の継ぎ目部分などである。また、通路の形状は、厚み方向にわたって一定である必要は無く、たとえばパイルの植設部などシート状体の面方向に害虫が移動可能な形状であってもよい。
【００１３】
加熱体が、通路の下部の温度を、害虫が通路を移動して上昇し、かつ害虫が死滅する温度未満の温度となるように加熱する。通路下部の温度が、３５℃以上５０℃未満の場合、害虫が死滅せずに移動してシート状体の表面付近に上昇する。害虫がシート状体の表面付近まで上昇した状態で吸引などにより害虫を除去する。通路下部の温度が、４０℃以上５０℃未満であればさらに効果的である。
【００１４】
特許文献１記載の害虫駆除装置付採暖具は、ダニを死滅させて駆除することを目的としているが、ダニなどはその死骸もアレルギーの発生源となるため死滅させずに除去する必要がある。本発明は、ダニなどの害虫を死滅させないように移動させることで、効率良く除去することができる。また、上記の害虫駆除装置付採暖具は、発熱素子の温度制御を行っているだけで、採暖具の表面温度を制御する技術ではない。これに対して本発明は、害虫が存在するシート状体の下部の温度を、害虫が通路を移動して上昇し、かつ害虫が死滅する温度未満の温度となるように加熱する方法である。
【００１５】
なお、加熱体とシート状体とは一体化されていてもよいし、分離可能に構成されていてもよい。
【００１６】
また本発明は、前記シート状体を加熱する際に、前記通路の下部の温度上昇率を変化させることを特徴とする。
【００１７】
また本発明は、前記加熱体は、前記通路の下部の温度を初期温度から５０℃まで上昇させ、前記通路の下部の温度を初期温度から３５℃まで上昇させる際の温度上昇率に比べて、３５℃から５０℃まで上昇させる際の温度上昇率が小さいことを特徴とする。
【００１８】
本発明に従えば、加熱体は、シート状体の通路下部の温度を、加熱開始時の初期温度から５０℃まで上昇させる。このとき、通路下部の温度を初期温度から３５℃まで上昇させる際の温度上昇率に比べて、３５℃から５０℃まで上昇させる際の温度上昇率を小さくする。
【００１９】
ダニは、通路下部の温度が３５℃になると通路を上昇し始めるが、全てのダニが移動するわけではなく、移動しないダニも存在する。このようなダニは、温度をさらに上げることで移動するが、温度が５０℃以上になると死滅してしまい除去が困難となる。したがって、通路下部の温度が３５℃になるまでは、大きな上昇率を用いて短時間で昇温し、３５℃から５０℃までは、小さな上昇率を用いてダニを死滅させず、かつ移動を促進させるように昇温することで、より多くのダニを効率よく除去することが可能となる。通路下部の温度が４０℃になるまで短時間で昇温し、４０℃から５０℃までは小さな上昇率で昇温すればさらに効果的である。
【００２０】
また本発明は、シート状体が載置される加熱体の加熱面または加熱面上のシート状体の上面の温度を暖房に適した温度となるように、前記加熱体を制御する暖房モードと、前記シート状体が有する、厚み方向に害虫が移動可能な通路の下部の温度を、害虫が通路を移動して上昇し、かつ害虫が死滅する温度未満の温度となるように、前記加熱体を制御する害虫除去モードとに切り替え可能に動作する加熱体制御装置である。
【００２１】
本発明に従えば、動作モードとして暖房モードと害虫駆除モードとが切り替え可能に構成されている。暖房モードは、シート状体が載置される加熱体の加熱面または加熱面上のシート状体の上面の温度を暖房に適した温度となるように、加熱体を制御するモードである。害虫駆除モードは、シート状体が有する、厚み方向に害虫が移動可能な通路の下部の温度を、害虫が通路を移動して上昇し、かつ害虫が死滅する温度未満の温度となるように、加熱体を制御するモードである。
【００２２】
これらを切り替えることによって、暖房用と害虫除去用とにそれぞれ加熱体の制御装置を設ける必要がなく、１つの制御装置で床暖房と害虫駆除をおこなうことができる。
【００２３】
【発明の実施の形態】
図１は、加熱体１と、加熱体１上に載置されたシート状体２の断面図である。
シート状体２は、基材２１と表面材２２とからなり、カーペット、畳、フローリングなどで実現される。たとえば、シート状体２がカーペットである場合、不織布などからなる基材に、表面材であるパイルを複数植設して構成される。シート状体が畳である場合、ポリエステル樹脂などからなる畳床（基材）に、い草を編み込んでなる畳表（表面材）を載置して構成される。シート状体がフローリングである場合、表面材として所定の厚み、幅および長さの木材を複数配設して構成される。なお、加熱体１とシート状体２とは一体化されていてもよいし、分離可能に構成されていてもよい。
【００２４】
カーペットの場合、主にパイルとパイルとの間隙が通路２２ａとなり、ダニなどの害虫が厚み方向に移動可能となっている。畳の場合は、編み込まれたい草とい草との間隙が通路２２ａとなり、フローリングの場合、配設された木材と木材との継ぎ目部分が通路２２ａとなる。害虫は、この通路２２ａを通って、基材２１と表面材２２との境目である通路下部から表面材２２の表面付近まで移動して上昇する。なお、通路の形状は、厚み方向にわたって一定である必要は無く、害虫が移動可能な大きさおよび形状であればよい。ダニの場合、平均の個体の大きさは約０．４ｍｍであるから通路は、その最小幅が０．４ｍｍより大きければよい。
【００２５】
また害虫としては、前述のようにアレルギー源となるダニ類や、病原菌の媒体となるノミ類などがある。これらの害虫は、周囲の温度が高温になると、温度がより低い場所に向けて移動する。家屋内に多く存在するコナヒョウヒダニおよびヤケヒョウヒダニは、周囲の温度が３５℃以上になると移動を始める。また、周囲の温度が５０℃以上になると死滅する。
【００２６】
本発明では、加熱体１によってシート状体２を加熱することにより、通路２２ａの下部付近の温度が３５℃以上５０℃未満となるように加熱体１を制御する。通路２２ａの下部（破線で囲まれた領域）２２ｂの温度を３５℃以上５０℃未満とすることで、通路２２ａの下部付近に存在するダニは、通路２２ａを通って表面材２２の表面付近へ移動する。ここで、シート状体１の表面付近に移動したダニを掃除機で吸引するなどして除去する。なお、通路下部の温度が４０℃以上５０℃未満であればさらに効果的である。
【００２７】
このように、ダニを吸引除去可能なシート状体２の表面付近に移動させるので、容易に吸引除去することができ、除去率を向上させることができる。また、ダニが死滅しない温度に制御するので、死骸によるアレルギー源の発生を抑制することができる。
【００２８】
以下では本発明の実施形態について説明する。
図２は、害虫除去方法を実現するための暖房装置１００の構成を示す図である。
【００２９】
暖房装置１００は、加熱体１と、加熱体によって加熱されるシート状体２と、加熱体の動作を制御する加熱体制御装置３とから構成される。本実施形態では、シート状体２はカーペットとする。
【００３０】
加熱体１は、熱源となる電熱ヒータ１１を内部に配設し、載置されたシート状体２を加熱する。
【００３１】
シート状体２は、不織布などからなる基材２１に、表面材２２であるパイルを複数植設して構成される。基材２１の内部にはダニは進入することができないので、ダニはパイルの平面方向または厚み方向に移動することとなる。したがって、ダニが移動可能な通路下部は、基材２１と表面材２２との境目の部分となる。基材２１と表面材２２との境目の部分で、害虫が移動可能な通路の下部にあたる部分には温度センサ３５が配置される。
【００３２】
加熱体制御装置３は、電熱ヒータ１１への印加電圧を制御し、表面材２２が有する通路の下部の温度を、３５℃以上５０℃未満のいずれかの温度となるように制御する。通路下部温度が設定温度になると、通路下部温度を所定時間保持する。シート状体２の表面に移動してきたダニは、掃除機などによって吸引除去するので、通路下部温度を設定温度に保持する時間は、吸引に必要な時間、たとえば数分から数十分が望ましい。保持時間は、予め後述のメモリ３２に記憶しておけばよい。
【００３３】
さらに制御装置３は、ＣＰＵ（Ｃｅｎｔｒａｌ　Ｐｒｏｃｅｓｓｉｎｇ　Ｕｎｉｔ）３１、メモリ３２、操作パネル３３　および電熱ヒータ制御部３４から構成される。ＣＰＵ３１は、操作パネル３３から入力された指示や、温度センサ３５が検出した温度などに基づいて、メモリ３２に記憶されている制御プログラムを用いて加熱体制御装置３全体の動作を制御する。メモリ３２は、各種制御プログラムや、操作パネル３３から入力された指示内容などを記憶する。操作パネル３３は、複数のキーとディスプレイとを備え、ユーザがキーを押すなどして指示内容を入力する。電熱ヒータ制御部３４は、加熱体１に配設された電熱ヒータ１１の一部とこれに接続する電源３４ａとを有し、電源３４ａを制御して電熱ヒータ１１の温度を制御する。
【００３４】
操作パネル３３についてさらに詳細に説明する。図３は、操作パネル３３の一例を示す図である。操作パネル前面中央部にはディスプレイ３３１が備えられ、後述する動作モードや、設定温度などが表示される。操作パネル前面右上には、モード切替キー３３２が備えられ、ユーザが押すことで暖房モードと害虫除去モードとを切り替えることができる。暖房モードとは、シート状体２の上面の温度が、暖房に適した温度、たとえば１０℃以上４０℃未満となるように加熱体１を制御するモードである。
【００３５】
ユーザが、モード切替キー３３２を操作して、暖房モードに設定すると、設定温度が入力可能となる。この状態で、ユーザが操作パネル前面右側の増減キー３３３を操作することで設定温度を入力することができる。たとえば、ディスプレイ３３１に現在の温度、もしくは予め定める温度（１０℃など）を表示し、ユーザが増減キー３３３の＋側を押すと設定温度が上昇し、−側を押すと設定温度が下降する。数字キーを備え、設定温度を直接入力できるようにしてもよい。なお、入力された設定温度は、変更されるまでメモリ３２に記憶され、ＣＰＵ３１は、記憶された設定温度を参照して電熱ヒータ制御部３４の制御を行う。
【００３６】
ユーザが、モード切替キー３３２を操作して、害虫除去モードに設定すると、ＣＰＵ３１は、温度センサ３５が検出した検出温度が、予め設定されている温度となるように電熱ヒータ制御部３４の制御を行う。予め設定されている温度は、３５℃以上５０℃未満の温度であり、メモリ３２に害虫除去温度として記憶しておけばよい。
【００３７】
加熱体制御装置３の制御方法について詳細に説明する。
図４は、加熱体制御処理を示すフローチャートである。
【００３８】
操作パネル３３などを操作して電源がオンされると、ステップＳ１で、ＣＰＵ３１は、動作モードが暖房モードに設定されているかどうかを判断する。暖房モードであればステップＳ１０に進み、暖房モードでなく、害虫除去モードであればステップＳ２に進む。
【００３９】
ステップＳ２では、電熱ヒータ制御部３４を動作させて、電熱ヒータ１１に電流を流し、加熱を開始する。ステップＳ３では、温度センサ３５から出力される検出温度を取得する。ステップＳ４では、メモリ３２に予め記憶されている害虫除去温度を読み出し、検出温度と比較する。検出温度が害虫除去温度と等しければ、ステップＳ６に進み、検出温度が害虫除去温度と異なっていれば、ステップＳ５に進む。ステップＳ５では、検出温度と害虫除去温度との差分に基づいて電熱ヒータ制御部３４を制御して、電熱ヒータ１１の温度を制御する。
【００４０】
ステップＳ６では、ＣＰＵ３１に内蔵されるタイマを作動する。ステップＳ７では、予めメモリ３２に記憶されている保持時間を読み出し、タイマが計数した時間と比較する。保持時間と計数時間とが等しければステップＳ８に進み、保持時間と計数時間とが異なれば待機する。
【００４１】
ステップＳ８では、タイマを停止する。ステップＳ９では電熱ヒータ制御部３４を停止して処理を終了する。
【００４２】
暖房モードの場合、ステップＳ１０で温度センサ３５から出力される検出温度を取得する。ステップＳ１１では、ユーザが操作パネル３３を操作して入力した設定温度と、検出温度とを比較する。ステップＳ１２では、検出温度と設定温度との差分に基づいて電熱ヒータ制御部３４を制御して、電熱ヒータ１１の温度を制御する。ステップＳ１３では電源がオフかどうかを判断し、電源がオフであればステップＳ１４に進み、電源がオフではなく、オンであればステップＳ１０に戻る。ステップＳ１４では、電熱ヒータ制御部３４を停止して処理を終了する。
【００４３】
本実施形態では、通路下部の温度を所定時間保持する方法について説明したが、これに限らず、通路下部の温度を所定の上昇率で変化させてもよい。
【００４４】
この場合、特に加熱開始直後の上昇率を大きくしてダニの除去に有効な温度まで速やかに上昇させ、所定の温度に達したときに加熱開始直後の上昇率より小さな上昇率でゆるやかに上昇させることが望ましい。たとえば、加熱開始時の温度（初期温度）から３５℃に達するまでの温度上昇率を大きく設定し、３５℃から５０℃に達するまでの温度上昇率を加熱開始時の温度上昇率より小さく設定する。温度上昇率は、単位時間あたりに増加する通路下部温度である。したがって、制御方法としては、予め加熱開始時の温度上昇率と、３５℃達成後の温度上昇率の２つの温度上昇率を設定してメモリ３２に記憶しておく。ＣＰＵ３１は、内蔵されたタイマを作動させて、所定の時間間隔で温度センサ３５から検出温度を取得し温度上昇率を算出する。算出した温度上昇率と設定された温度上昇率とを比較し、その差分に基づいて電熱ヒータ制御部３４を制御する。
【００４５】
図５は、害虫除去方法を実現するための暖房装置２００の構成を示す図である。
【００４６】
暖房装置２００は、加熱体１０１と、加熱体によって加熱されるシート状体２と、加熱体の動作を制御する加熱体制御装置１０３とから構成される。本実施形態では、シート状体２は前述と同じカーペットとする。
【００４７】
加熱体１０１は、伝熱管１０４を内部に配設し、伝熱管１０４内を流れる温水を熱媒体として載置されたシート状体２を加熱する。
【００４８】
加熱体制御装置１０３は、伝熱管１０４内を流れる温水の流量を制御し、表面材２２が有する通路下部の温度を、３５℃以上５０℃未満のいずれかの温度となるように制御する。通路下部温度が設定温度になると、通路下部温度を所定時間保持する。シート状体２の表面に移動してきたダニは、掃除機などによって吸引除去するので、通路下部温度を設定温度に保持する時間は、吸引に必要な時間、たとえば数分から数十分が望ましい。保持時間は、予め後述のメモリ４２に記憶しておけばよい。なお、後述のように本実施形態では温度センサを用いない制御を行うため、通路下部温度が設定温度に達したかどうかを判断できないので、保持時間は、加熱を開始してからの時間を記憶しておく。
【００４９】
さらに加熱体制御装置１０３は、ＣＰＵ（Ｃｅｎｔｒａｌ　Ｐｒｏｃｅｓｓｉｎｇ　Ｕｎｉｔ）４１、メモリ４２、操作パネル４３、熱交換器４４、バーナ４５、貯湯槽４６、ポンプ４７および流量調整弁４８から構成される。ＣＰＵ４１は、操作パネル４３から入力された指示や、メモリ４２に記憶されている制御プログラムを用いて加熱体制御装置１０３全体の動作を制御する。メモリ４２は、各種制御プログラムや、操作パネル４３から入力された指示内容などを記憶する。
【００５０】
加熱体１内の伝熱管を通って循環してきた温水は、貯湯槽４６に貯えられ、ポンプ４７によって一定の流量で熱交換器４４に送られる。熱交換器４４では、バーナ４５によって温水を加熱し、所定の温度、たとえば８０℃の温水を伝熱管１０４に供給する。流量調整弁４８は、ＣＰＵ４１の指示に基づいて、加熱体１内の伝熱管を流れる温水の流量を調整する。
【００５１】
また、本実施形態の暖房装置２００は温度センサを用いていない。したがって、予め測定するなどして得られたシート状体２の伝熱特性をメモリ４２に記憶しておく。メモリ４２に記憶する伝熱特性としては、温水の温度および温水の流量と、通路下部温度との関係を記憶しておけばよい。温水の温度および温水の流量と、通路下部温度との関係は、設定温度ごとに異なるので、設定可能な温度ごとにこれらの関係を記憶しておけばよい。設定温度は、害虫除去モードでは、３５℃以上５０℃未満の予め定める害虫除去温度であり、暖房モードでは、ユーザが操作パネル４３を操作して入力した温度である。なお、暖房モードの場合は、ユーザが設定温度を変更すると、それに伴って流量の制御を変更しなければならないが、害虫除去モードの場合は、通路下部の温度を、所定の保持時間だけ害虫除去温度に制御すればよいので、温水の温度および温水の流量と、加熱開始からの時間との関係を記憶しておいてもよい。もしくは、基材２１の熱抵抗や熱容量などを記憶しておき、温水の温度および温水の流量と、熱抵抗や熱容量などとから通路下部の温度を算出するようにしてもよい。
【００５２】
さらにシート状体２をカーペットから畳やフローリングに変えると、伝熱特性も変わってしまう。したがって、シート状体２の種類ごとに伝熱特性をメモリ４２に記憶しておく必要がある。また、図６に示す操作パネル４３には、ディスプレイ４３１、モード切替キー４３２および増減キー４３３に加えてシート状体２の種類を選択するための選択キー４３４が備えられている。ディスプレイ４３１、モード切替キー４３２および増減キー４３３の機能については、図３に示した操作パネル３３の各キーと同様であるので説明は省略する。選択キー４３４は、予め伝熱特性をメモリ４２に記憶させているシート状体２の種類に対応するキー、たとえばカーペットキー４３４ａ、畳キー４３４ｂおよびフローリングキー４３４ｃなどからなる。ユーザがモード切替キー４３２を押して害虫除去モードまたは暖房モードに設定した後、実際に使用しているシート状体２の種類に対応する選択キー４３４を押すと、ＣＰＵ４１が入力されたシート状体２の種類および設定温度に対応する伝熱特性をメモリ４２から読み出して流量調整弁４８などの制御を行う。
【００５３】
図７は、加熱体制御処理を示すフローチャートである。
操作パネル４３などを操作して電源がオンされると、ステップＳ１１で、ＣＰＵ４１は、動作モードが暖房モードに設定されているかどうかを判断する。暖房モードであればステップＳ１９に進み、暖房モードでなく、害虫除去モードであればステップＳ１２に進む。
【００５４】
ステップＳ１２では、操作パネル４３の選択キー４３４のいずれが押されたかを検出してシート状体２の種類を決定し、決定したシート状体２の種類に対応する伝熱特性をメモリ４２から読み出す。ステップＳ１３では、ＣＰＵ４１に内蔵されたタイマを作動させる。ステップＳ１４では、熱交換器４４、バーナ４５、貯湯槽４６、ポンプ４７、流量調整弁４８などを作動させて伝熱管１０４に温水の供給を開始する。ステップＳ１５では、読み出した伝熱特性に基づいて流量調整弁４８などを制御する。
【００５５】
ステップＳ１６では、予めメモリ４２に記憶されている保持時間を読み出し、タイマが計数した時間と比較する。保持時間と計数時間とが等しければステップＳ１７に進み、保持時間と計数時間とが異なればステップＳ１５に戻る。
【００５６】
ステップＳ１７では、タイマを停止する。ステップＳ１８では熱交換器４４、バーナ４５、貯湯槽４６、ポンプ４７、流量調整弁４８などを停止して処理を終了する。
【００５７】
暖房モードの場合、ステップＳ１９で、操作パネル４３の選択キー４３４のいずれが押されたかを検出してシート状体２の種類を決定し、入力された設定温度を決定し、決定したシート状体２の種類および温度に対応する伝熱特性をメモリ４２から読み出す。
【００５８】
ステップＳ２０では、熱交換器４４、バーナ４５、貯湯槽４６、ポンプ４７、流量調整弁４８などを作動させて伝熱管１０４に温水の供給を開始する。ステップＳ２１では、読み出した伝熱特性に基づいて流量調整弁４８などを制御する。
【００５９】
ステップＳ２２では、電源がオフかどうかを判断し、電源がオフであればステップＳ２３に進み、電源がオフではなく、オンであればステップＳ２１に戻る。ステップＳ２３では、熱交換器４４、バーナ４５、貯湯槽４６、ポンプ４７、流量調整弁４８などを停止して処理を終了する。
【００６０】
なお、本実施形態においても、通路下部の温度を所定の上昇率で変化させてよい。この場合、特に加熱開始直後の上昇率を大きくしてダニの除去に有効な温度まで速やかに上昇させ、所定の温度に達したときに加熱開始直後の上昇率より小さな上昇率でゆるやかに上昇させることが望ましい。たとえば、図８に示すように、加熱開始時の温度（初期温度）から４０℃に達するまでの温度上昇率を大きく設定し、４０℃から５０℃に達するまでの温度上昇率を加熱開始時の温度上昇率より小さく設定する。温度上昇率は、単位時間あたりに増加する通路下部温度である。したがって、制御方法としては、予め上記のような温度上昇率で流量調整を行ったときの温水の温度および温水の流量と、加熱開始からの時間との関係を測定しておき、メモリ４２に記憶させておく。
【００６１】
ＣＰＵ４１は、害虫除去モードが設定されると、メモリ４２から温度上昇率を変化させたときの温水の温度および温水の流量と、加熱開始からの時間との関係を読み出して流量調整弁４８などを制御する。
【００６２】
（実施例１）
以上のような制御方法によって、シート状体２の通路下部の温度を変化させたときのダニ除去率に対する影響を調べるために次のような実験を行った。
【００６３】
（実験条件）
加熱体１：温度制御可能なホットプレート
シート状体２：２ｃｍ×２ｃｍのカーペット試験片
ダニ：コナヒョウヒダニおよびヤケヒョウヒダニ
手順：ダニを試験片内に添加（約２０〜１００匹）し、これをホットプレート上に載置して、所定の温度制御プログラムにより加熱した。
測定：試験片内部に設置した温度センサから出力される温度と、試験片の表面に移動してきたダニの数を実体顕微鏡で計測した。
【００６４】
図９〜図１２は、通路下部温度およびダニ除去率の経時変化を示すグラフである。
【００６５】
各グラフとも、横軸が時間（単位は分）を表し、縦軸左がダニ除去率、縦軸右が通路下部温度（単位は℃）を表す。また、折れ線グラフが温度を示し、棒グラフがダニ除去率を示している。ダニ除去率とは、（吸引などによって除去したダニの固体数）を（加熱前にシート状体２内に存在するダニの個体数）で除算し、１００を乗算して％表示にしたものである。したがって、加熱前にシート状体２内に存在するダニを全て除去したときがダニ除去率１００％となる。なお、試験片の表面に移動してきたダニは、吸引によって除去可能であると考えられるので、実験結果におけるダニ除去率は、上述の（吸引などによって除去したダニの個体数）を、（試験片の表面に移動してきたダニの個体数）として算出した。
【００６６】
実験結果：図９は、通路下部温度を３０℃に設定したときの結果を示している。通路下部温度が３０℃の場合、ダニ除去率は加熱開始から６０分後に約７％と小さかった。これは、通路下部温度が低過ぎたために、ダニが試験片の表面に移動しなかったからと考えられる。
【００６７】
図１０は、通路下部温度を４０℃に設定したときの結果を示している。通路下部温度が４０℃の場合、ダニ除去率は加熱開始から６０分後に約６５％と大きかった。
【００６８】
図１１は、通路下部温度を５０℃に設定したときの結果を示している。通路下部温度が５０℃の場合、ダニ除去率は加熱開始後２０分で約２０％と小さかった。またこれ以降は、試験片の表面に移動するダニは見られなかった。これは、通路下部温度が高過ぎたために、通路下部付近でダニが死滅したからと考えられる。
【００６９】
図１２は、通路下部温度が４０℃に達するまでの温度上昇率より小さな温度上昇率で、４０℃から５０℃まで昇温させたときの結果を示している。この場合、ダニ除去率は、加熱開始後４０分で約６５％となり、６０分後では約７５％と非常に大きくなった。これは、通路下部温度が４０℃ではカーペットの表面に移動しなかったダニが４０℃以上の温度に加熱されたために移動し、さらに急激に５０℃まで加熱するのではなく、小さい温度上昇率で加熱したためにダニが死滅することなく移動することができたと考えられる。
【００７０】
（実施例２）
さらに、実際にダニを汚染させたカーペットから掃除機を用いて吸引除去したときにかかる除去時間について実験をおこなった。
【００７１】
（実験条件）
加熱体１：温度制御可能なホットプレート
シート状体２：１．５ｃｍ×１．５ｃｍのカーペット試験片
ダニ：コナヒョウヒダニおよびヤケヒョウヒダニ
手順：ダニを試験片内に添加（約１００匹）し、これをホットプレート上に載置して、通路下部温度を４０℃で３０分間加熱したものと、加熱しなかったものを作製した。それぞれの試験片を５０ｃｍ×５０ｃｍのカーペットに埋め込み、掃除機（吸引仕事率：５３０Ｗ、日立製）を用いてカーペット全体の吸引を行った。
【００７２】
測定：掃除機の吸引ホース内部にフィルタ状のダニ抗体キットを設け、ダニが吸引されなくなるまでの時間を測定した。ダニ抗体キットは、ダニに含まれる蛋白質を抗原とする抗体を含み、ダニがフィルタ内に存在する場合は抗原抗体反応によって変色することによってダニの存在を検出することができる。
【００７３】
実験結果：加熱無しの場合の除去時間は、１０秒間であった。４０℃で３０分間の加熱を行った場合の除去時間は５秒間で、加熱しない場合の半分の時間であった。これらの結果を６畳の部屋の大きさを掃除機で吸引した場合に換算すると、加熱無しの場合の除去時間は６分３０秒間、４０℃で３０分間の加熱を行った場合の除去時間は、３分１５秒間となる。
【００７４】
このように、掃除機による吸引に必要な時間は、４０℃で３０分間の加熱を行った場合、加熱しない場合の半分の時間となり、容易にダニを除去することができた。
【００７５】
以上の実験結果より、シート状体２の通路下部温度を４０℃以上５０℃未満となるように加熱体１を制御することで、ダニをシート状体２の表面付近に移動させ、容易に除去することができることがわかった。
【００７６】
【発明の効果】
以上のように本発明によれば、ダニなどの害虫を死滅させないようにシート状鯛の表面付近に移動させることで、効率良く害虫を除去することができる。
【００７７】
本発明によれば、通路下部の温度が３５℃になるまでは、大きな上昇率を用いて短時間で昇温し、３５℃から５０℃までは、小さな上昇率を用いてダニを死滅させず、かつ移動を促進させるように昇温することで、より多くのダニを効率よく除去することができる。
【００７８】
また本発明によれば、暖房用と害虫除去用とにそれぞれ加熱体の制御装置を設ける必要がなく、１つの制御装置で床暖房と害虫駆除をおこなうことができる。
【図面の簡単な説明】
【図１】加熱体１と、加熱体１上に載置されたシート状体２の断面図である。
【図２】害虫除去方法を実現するための暖房装置１００の構成を示す図である。
【図３】操作パネル３３の一例を示す図である。
【図４】加熱体制御処理を示すフローチャートである。
【図５】害虫除去方法を実現するための暖房装置２００の構成を示す図である。
【図６】操作パネル４３の一例を示す図である。
【図７】加熱体制御処理を示すフローチャートである。
【図８】温度上昇率を変えたときの通路下部温度の変化を示すグラフである。
【図９】通路下部温度およびダニ除去率の経時変化を示すグラフである。
【図１０】通路下部温度およびダニ除去率の経時変化を示すグラフである。
【図１１】通路下部温度およびダニ除去率の経時変化を示すグラフである。
【図１２】通路下部温度およびダニ除去率の経時変化を示すグラフである。
【符号の説明】
１　加熱体
２　シート状体
３，１０３　加熱体制御装置
１１　電熱ヒータ
２１　基材
２２　表面材
３１，４１　ＣＰＵ
３２，４２　メモリ
３３，４３　操作パネル
３４　電熱ヒータ制御部
３４ａ　電源
４４　熱交換器
４５　バーナ
４６　貯湯槽
４７　ポンプ
４８　流量調整弁
１００，２００　暖房装置
３３１，４３１　ディスプレイ
３３２，４３２　モード切替キー
３３３，４３３　増減キー
４３４　選択キー
４３４ａ　カーペットキー
４３４ｂ　畳キー
４３４ｃ　フローリングキー
【図１】
2004129611.tif 000003
【図２】
2004129611.tif 000004
【図３】
2004129611.tif 000005
【図４】
2004129611.tif 000006
【図５】
2004129611.tif 000007
【図６】
2004129611.tif 000008
【図７】
2004129611.tif 000009
【図８】
2004129611.tif 000010
【図９】
2004129611.tif 000011
【図１０】
2004129611.tif 000012
【図１１】
2004129611.tif 000013
【図１２】
2004129611.tif 000014